(57)【要約】【課題】幼児にも扱い易いように軽く、コストも低減でき、洋式便器に組み合わせるに適した幼児用プラスチック製踏み台を提供する。【解決手段】洋式便器の便座までの段差を補うための階段状本体を有する幼児用プラスチック製踏み台として、階段状本体１１は、ほぼ同じ高低差に設定された１段目と２段目の踏み面１２、１３を設けた２段構造を有し、上記２段の踏み面とその周囲をかこむ周側面とから成る中空構造とし、幼児による持ち運びのために薄肉中空構造と踏み面の内側に設けたリブ構造１５による軽量化構造を有するとともに、把手となる挿入口１６を有するものとし、上記２段の踏み面のほぼ全面に粗面からなる滑り止め面を形成した。【選択図】          図１
0003136256.tif 000002
【実用新案登録請求の範囲】
【請求項１】
幼児用プラスチック製踏み台であって、
ほぼ同じ高低差に設定された１段目と２段目の踏み面を設けた２段構造を有し、かつ上記２段の踏み面とその周囲をかこむ周側面とから成る中空構造の階段状本体を具備し、
幼児による持ち運びのために薄肉中空構造と踏み面の内側に設けたリブ構造による軽量化構造を有するとともに、把手となる挿入口を有するものとし、
上記２段の踏み面のほぼ全面に粗面からなる滑り止めを形成したことを特徴とする
幼児用プラスチック製踏み台。
【請求項２】
１段目と２段目の間の蹴上げに相当する正面のほぼ中央部に、１段目の踏み面の奥行きを拡大するために後方へ凹ませた凹部を設けて成る請求項１記載の幼児用プラスチック製踏み台。
【請求項３】
階段状本体の背面に、洋式便器と接触箇所をなくして密接させる切欠き部を設けて成る請求項１記載の幼児用プラスチック製踏み台。
【考案の詳細な説明】
【技術分野】
【０００１】
本考案は、幼児用プラスチック製踏み台に関するものである。
【背景技術】
【０００２】
例えば洋式便器の便座は幼児が使用するには高過ぎるため、その便座までの段差を補うことが日常的に行われており、また、それを踏み台として兼用可能なものも市販されている。しかし従来のものは単なる台であるため高さを補うには十分ではなく、また重量も軽くないため幼児が運ぶには負担が大きい。例えば、特開平８−２８０５７９号や実用新案登録第３０４８０２２号の幼児用便器は上記の構造を持つ例である。また、特開平９−２８７１９１号は大人幼児兼用の水洗式洋風便器であり持ち運ぶ必要はないが機能的には上記と同様である。
【０００３】
なお、出願人の把握している市販商品では、踏み台の上面に滑り止めとしてゴムマットを貼り付けたものがあるが、このような構造では２部品となるので接着工程も必要になりコスト高となる上、重量が大きくなり幼児には扱いにくいものとなる。また、洋式便器に組み合わせるためにしては形状が適してはおらず、便座との間に間隔が開いてしまうことも問題である。
【０００４】
【特許文献１】特開平８−２８０５７９号
【特許文献２】特開平９−２８７１９１号
【特許文献３】実用新案登録第３０４８０２２号
【考案の開示】
【考案が解決しようとする課題】
【０００５】
本考案は前記の点に着目してなされたもので、その課題は、幼児にも扱い易いように軽く、コストも低減でき、例えば洋式便器に組み合わせるに適した幼児用プラスチック製踏み台を提供することである。
【課題を解決するための手段】
【０００６】
前記の課題を解決するため、本考案は、幼児用プラスチック製踏み台として、
ほぼ同じ高低差に設定された１段目と２段目の踏み面を設けた２段構造を有し、かつ上記２段の踏み面とその周囲をかこむ周側面とから成る中空構造の階段状本体を具備し、
幼児による持ち運びのために薄肉中空構造と踏み面の内側に設けたリブ構造による軽量化構造を有するとともに、把手となる挿入口を有するものとし、
上記２段の踏み面のほぼ全面に粗面からなる滑り止めを形成するものとする
という手段を講じたものである（請求項１記載の考案）。
【０００７】
本考案の幼児用プラスチック製踏み台は、まず、階段状構造の本体によって便座までの段差を補うことを特徴とする。階段状構造であることにより、１段の段差を小さくし幼児にも無理なく乗り降りすることができる。
【０００８】
階段状本体は、ほぼ同じ高低差に設定された１段目と２段目の踏み面を設けた２段構造を有するものとする。従来の単なる台では段差が半分になるだけで、幼児の１段分として問題はないかという不安もあるが、本考案によれば、ほぼ３分の１に段差を縮めることができるから幼児にも無理がない。乗り降りに無理がないということは安全ということであり、１段の差というに止まらない。
【０００９】
さらに階段状本体は、上記２段の踏み面とその周囲をかこむ周側面とから成る中空構造とし、幼児による持ち運びのために薄肉中空構造と踏み面の内側に設けたリブ構造による軽量化構造を有するものとする。薄肉中空構造とし、かつ、踏み面の内側にリブ構造を設けることにより、単なる中空構造では得られない軽量化が実現し、幼児による持ち運びを助けるための一手段となる。よって挿入口が実際に利用できるもう一つの持ち運び手段となる。
【００１０】
そして、上記２段の踏み面のほぼ全面に粗面からなる滑り止めを形成するものとする。粗面は、階段状本体をプラスチックにより型成型することによって形成するので、従来のようにゴム版を貼り付けるような作業は必要なく、かつ軽量化にも寄与する。
【００１１】
上記階段状本体の１段目と２段目の間の蹴上げに相当する正面の中央部に、１段目の踏み面の奥行きを拡大するために後方へ凹ませた凹部を設ける（請求項２記載の考案）。この構成のために幼児の足を、前後方向の長さに余裕を持って１段目の踏み面のほぼ中央部に受け止めることもできる。
【００１２】
また、階段状本体の背面に、洋式便器と接触する箇所をなくして密接させる切欠き部を設けることが望ましい（請求項３記載の考案）。この構成により、洋式便器の下部の円筒状の部分と切欠き部が前後に重なるようになり、その分だけ階段状本体と洋式便器が接近し隙間のない状態つまり密接する状態を形成する。この状態も安全性の向上に寄与することが明らかである。
【考案の効果】
【００１３】
本考案は以上のように構成されかつ作用するものであるから、階段状本体の中空軽量構造により幼児にも扱い易いように軽くなり、滑り止めゴム版の省略によりコストも低減でき、洋式便器に組み合わせて安全に使用することができる幼児用プラスチック製踏み台が提供される。
【考案を実施するための最良の形態】
【００１４】
以下図示の実施形態を参照して本考案の幼児用プラスチック製踏み台１０をより詳細に説明する。本考案の幼児用プラスチック製踏み台１０は、例えば洋式便器の便座までの段差を補えるような階段状本体１１を有しており、ほぼ同じ高低差に設定された１段目の踏み面１２と２段目の踏み面１３を備えた２段構造を有する。また、階段状本体１１は、上記２段の踏み面１２、１３とその周囲をかこむ周側面１４とから成る中空構造を有している箱状である（図１、図２参照）。
【００１５】
標準的な洋式便器の便座は三十数センチメートルの高さがあり、本考案によれば、この高さのほぼ３分の１の高さに位置する踏み面１２とほぼ３分の２の高さに位置する踏み面１３によって、段差を約十〜十数センチメートルと著しく狭い高さに低められる。
【００１６】
階段状本体１１は中空構造であり、しかも幼児による持ち運びを可能にするために薄肉中空構造と踏み面の内側に設けたリブ構造１５による軽量化構造を有する（図３参照）。平均肉厚が約０．３センチメートルの薄肉中空構造と、踏み面の内側にリブ構造１５により、従来の単なる中空構造に対して約２０パーセントと著しい軽量化が達成される。もう一つの持ち運び手段として挿入口１６が上段正面の上部に形成されている。
【００１７】
上記２段の踏み面１２、１３のほぼ全面には、粗面からなる滑り止め面１７を形成する（図４、図５参照）。粗面は、階段状本体１１をプラスチックにより型成型する際に形成するもので、図１の例では、１辺が２〜３ミリメートル角程度、深さ約０．３ミリメートルの格子状模様を有する微小な凹凸から成っている。上記の微小凹凸列から成る滑り止め面１７のピッチは、内面に形成されている前記のリブ構造１５の位置と一致しており、成型後の「ヒケ」が目立たないような配置になっている。
【００１８】
階段状本体１１の１段目と２段目の間の蹴上げに相当する正面の中央部には、後方へ凹ませて１段目の踏み面１２の奥行きを拡大した凹部１８を設けている。この構成により幼児の足を、１段目の踏み面のほぼ中央部に余裕を持って受け止めることができる。幼児にとっては１段目の踏み面１２の広い中央部が足を置く箇所として暗示されるので終始安全であり、乗った瞬間に傾いて倒れるというような事故も防げる。上記凹部１８により２段目の踏み面１３の左右には前方への突出部分１９ｌ、１９ｒが形成され前後に長くなるので、この部分は用便中の幼児の足載せ部分になる。
【００１９】
また階段状本体１１の背面に、洋式便器２６の下部の円筒状の部分２７との抵触を減らして密接させる切欠き部２０を設ける。切欠き部２０で、本案踏み台１０と洋式便器２６の円筒状の部分２７とが前後に重なり、その分だけ階段状本体と洋式便器が接近し密接する状態を形成する。
【００２０】
各図中２１は２段目の踏み面１３に幼児向けに設けた装飾部、２２は商品名、愛称のような表示部である。また、階段状本体１１の各箱状の四隅は僅かに突出して脚部２３を形成しており、各脚部２３の下面には凹溝２４が形成されていてその溝内部に防滑片２５が嵌合されている（図６参照）。
【００２１】
このような構成を有する本考案の幼児用プラスチック製踏み台１０を使用するには、洋式便器２６の下部の円筒状の部分２７に階段状本体１１の背面の部分を押し当て、切欠き部２０に一部が入り込むようにし、密接状態にする。かくして本案踏み台１０は図７に示されるように並び、その１段目の踏み面１２と２段目の踏み面１３が洋式便器２６の便座２８までの段差を補うことになる。このような使用状態になるので、幼児は１段目の踏み面１２、２段目の踏み面１３を、滑り止め面１７を踏んで登り或いは降りることができ、あらゆる方向に安定な状態で安全に使用することができる。
【図面の簡単な説明】
【００２２】
【図１】本考案に係る幼児用プラスチック製踏み台の一例を示す正面側斜視図である。
【図２】同上の背面側斜視図である。
【図３】同じく中央縦断面図である。
【図４】同じく部分平面図である。
【図５】図４のＶ‐Ｖ線断面図である。
【図６】脚部を示すもので、Ａは下面図、Ｂは断面図である。
【図７】使用状態を示す側面図である。
【符号の説明】
【００２３】
１０  幼児用プラスチック製踏み台
１１  階段状本体
１２  １段目の踏み面
１３  ２段目の踏み面
１４  周側面
１５  リブ構造
１６  挿入口
１７  滑り止め面
１８  凹部
１９ｌ、１９ｒ  前方への突出部分
２０  切欠き部
２１  装飾部
２２  表示部
２３  脚部
２４  凹溝
２５  防滑片
２６  洋式便器
２７  円筒状の部分
【図１】
0003136256.tif 000003
【図２】
0003136256.tif 000004
【図３】
0003136256.tif 000005
【図４】
0003136256.tif 000006
【図５】
0003136256.tif 000007
【図６】
0003136256.tif 000008
【図７】
0003136256.tif 000009